(57)【要約】【課題】電源オン又は電源オフに関わらず、記録媒体の排出及び設置を検出し、記録媒体の排出及び設置がなかった場合に、記録媒体の媒体情報の読み込みにかかる時間を短縮することが可能な記録媒体駆動装置及び記録媒体の媒体情報取得方法を提供すること。【解決手段】記録媒体に関する媒体情報を記録する媒体情報記憶部２１２と、電源オン時及び電源オフ時に、記録媒体の排出及び設置に応じて状態が切り替わり、電源オン時に記録媒体の排出及び設置を検出する検出部２０６とを備え、媒体情報記憶部は、検出部で記録媒体の排出及び設置が検出されるまでは、既に記憶された最新の媒体情報を、設置されている記録媒体の媒体情報として記憶しておき、検出部で記録媒体の排出及び設置が検出されたとき、記録媒体の媒体情報を、新たに設置された記録媒体の媒体情報として新たに記憶することを特徴とする。【選択図】図２
2008282466.tif 000002
【特許請求の範囲】
【請求項１】
記録媒体上のデータの再生又は記録媒体上にデータの記録を行う記録媒体駆動装置であって、
前記記録媒体に関する媒体情報を記録する媒体情報記憶部と、
電源オン時及び電源オフ時に、前記記録媒体の排出及び設置に応じて状態が切り替わり、電源オン時に前記記録媒体の排出及び設置を検出する検出部と、
を備え、
前記媒体情報記憶部は、前記検出部で前記記録媒体の排出及び設置が検出されるまでは、既に記憶された最新の前記媒体情報を、設置されている前記記録媒体の前記媒体情報として記憶しておき、
前記検出部で前記記録媒体の排出及び設置が検出されたとき、前記記録媒体の前記媒体情報を、新たに設置された前記記録媒体の前記媒体情報として新たに記憶することを特徴とする、記録媒体駆動装置。
【請求項２】
前記検出部は、
前記記録媒体の排出又は設置による移動に伴って、第１の領域と第２の領域を交互に移動可能な移動部材と、
前記移動部材の移動に伴って、導通状態が切り替わるスイッチと、
を備え、
前記記録媒体が設置されているとき、前記移動部材は前記第１の領域にあり、
前記記録媒体が排出されたとき、前記移動部材は、前記記録媒体の移動に伴って前記第２の領域に移動し、
前記スイッチの導通状態によって、前記移動部材が前記第２の領域にあることが検知されたとき、前記記録媒体の排出及び設置を検出することを特徴とする、請求項１に記載の記録媒体駆動装置。
【請求項３】
前記検出部が前記記録媒体の排出及び設置を検出した後、電源オン時に、前記移動部材を前記第１の領域に復帰させる復帰駆動部を更に備えることを特徴とする、請求項２に記載の記録媒体駆動装置。
【請求項４】
記録媒体上のデータの再生又は記録媒体上にデータの記録を行う記録媒体駆動装置における記録媒体の媒体情報取得方法であって、
電源オン時及び電源オフ時に、前記記録媒体の排出及び設置に応じて状態が切り替わる検出スイッチから、電源オン時に前記記録媒体の排出及び設置を検出する検出ステップと、
前記検出ステップで前記記録媒体の排出及び設置が検出されるまでは、既に記憶された最新の前記媒体情報を、設置されている前記記録媒体の前記媒体情報として記憶する第１の記憶ステップと、
電源オン時に、前記検出ステップで前記記録媒体の排出及び設置が検出されたとき、前記記録媒体の前記媒体情報を、新たに設置された前記記録媒体の前記媒体情報として新たに記憶する第２の記憶ステップと、
を含むことを特徴とする、記録媒体の媒体情報取得方法。
【発明の詳細な説明】
【技術分野】
【０００１】
本発明は、記録媒体駆動装置及び記録媒体の媒体情報取得方法に関する。
【背景技術】
【０００２】
記録媒体駆動装置には、記録媒体の種類に応じて、例えば、光ディスクドライブ、フラッシュメモリドライブなどがある。
【０００３】
記録媒体としての光ディスクは、複数の規格、例えばＣＤ、ＤＶＤ又はＢｌｕ−ｒａｙ  Ｄｉｓｋなどが存在している。そのため、光ディスクドライブは、１つの装置で１つの規格だけに対応したものは稀であり、一般に、１つの装置で複数の規格に対応できる。光ディスクドライブは、読み取り時、又は書き込み時において、内部に設置された光ディスクがどの規格のディスクであるか等を検出するためのロード処理をしなければならない。
【０００４】
ディスクの規格を検出するロード処理としては、例えば、設置されたディスクが８ｃｍ又は１２ｃｍなのか、ＤＶＤであると判断されても更にＤＶＤ−ＲＡＭ、ＤＶＤ−Ｒ、ＤＶＤ−ＲＷ、ＤＶＤ＋Ｒ、ＤＶＤ＋ＲＷ等のいずれに該当するのか、何倍速で読み書きできるのか等の種別を判定する必要がある。また、同一規格のディスクであっても、ディスクごとにばらつきがあるため、サーボの制御値を読み書きに最適な値に設定する必要がある。更に、記録用レーザの出力は、ディスクの規格や温度、回転速度などに依存しており、記録のたびに異なるため、試し書きを行うなどして最適な値に設定する必要がある。
【０００５】
特許文献１では、光ディスクドライブにおいて、ロード処理を削減することができる技術が開示されている。具体的には、特許文献１の技術では、まず、光ディスクドライブの一部の制御部に通電しておくことで、光ディスクドライブを常時待機状態にし、待機状態で光ディスクの交換が行われた場合、光ディスクが交換されたことを記憶させる。そして、光ディスクの読み書きのため、光ディスクドライブの電源がＯＮにされたとき、光ディスクが交換されたという記憶がされていない場合は、ロード処理として再確認処理のみで済ませるという技術である。ここで、再確認処理とは、制御部にも通電がされていなかったときに、光ディスクの交換が行われる可能性があるため、ロード処理の全ては行わずに、ロード処理の一部を行って光ディスクの交換が行われていたかを確認する処理である。
【０００６】
【特許文献１】特開２００４−３２６９３３号公報
【発明の開示】
【発明が解決しようとする課題】
【０００７】
ロード処理は、１つの装置が対応できる規格の数や、判定すべき項目が増加するにつれて、処理時間が長くなる。近年の光ディスクドライブでは、ロード処理に３０秒近く、又はそれ以上かかっており、電源をＯＮ（投入）してから、ディスクの読み書きを開始するまで長い時間がかかる。その結果、光ディスクドライブを備えたカムコーダ、ＤＶＤレコーダ、又はノート型パソコン等を使用する際、電源ＯＮから実際にディスクの読み書きができる状態になるまでに、長時間かかるロード処理を経なければならないため、利用者は大きなストレスを感じたり、録画をしたいというときの大事なシーンを撮り逃したりするという問題があった。
【０００８】
一方、光ディスクとは別のストレージとして例えば半導体メモリを備えることで、ディスクへの書込み前にデータを一時的に保存することが可能となり、録画開始までの時間を短縮できるようになる。しかし、別途半導体メモリを搭載する必要があるため、コストが高くなり、利用者に負担をかけてしまうという問題があった。
【０００９】
メモリースティック（登録商標）などのフラッシュメモリを記録媒体として、読み書きを行うドライブ（駆動装置）において、フラッシュメモリの読み書きを行う場合、ファイルシステムに関する情報、例えば、所望のファイルがメモリ上のどの位置に記録されているか等の情報の読み出し等の処理を行う必要がある。そのため、実際に所望のファイルを実際に読み出し命令で読み出すためには、時間がかかるという問題があった。
【００１０】
また、フラッシュメモリが例えばギガバイト単位で大容量化するにつれて、保存できるファイル数が増加する。その結果、フラッシュメモリ上の管理テーブルが大きくなる。更に、フラッシュメモリの読み出し速度は、ＳＤＲＡＭ等に比べて遅いため、読み書きを開始するまでの時間が長くかかるという問題があった。
【００１１】
また、上述の特許文献１の技術では、光ディスクが交換されたことを記憶させるため、微弱電流であるとしても光ディスクドライブに常時通電させておく必要があるため、電力消費が常に発生する。そのため、特許文献１による光ディスクドライブを搭載したノート型パソコンやカムコーダ等では、バッテリーを満充電したつもりで携帯していても、目的地に着いた頃にはバッテリーが消費されているという可能性がある。更に、モバイル機器として携行しているときに、手やカバンの中の物が、誤って光ディスクドライブの開閉ボタンに触れてしまうことがある。そうすると、特許文献１の技術によれば、光ディスクドライブが通電状態にあることから、光ディスクがイジェクトされる。再び光ディスクが設置された場合は、光ディスクドライブは、ロード処理を行うため、電力を浪費してしまう。
【００１２】
更に、特許文献１の光ディスクドライブでは、実際は光ディスクの交換が行われていないため、ロード処理が完全に不要な場合でも、非通電時、例えばバッテリーを外して携帯した場合などにおいて、強制的に光ディスクの交換が行われた場合に対応する必要がある。即ち、特許文献１では、光ディスクの交換が実際になかった場合でも、ディスク交換がされていないという記憶情報の信憑性が低いため、上記の再確認処理が最低限必要である。そのため、ロード処理に必要な時間が全くなくなるわけではない。
【００１３】
そこで、本発明は、上記問題に鑑みてなされたものであり、本発明の目的とするところは、電源オン又は電源オフに関わらず、記録媒体の排出及び設置を検出し、記録媒体の排出及び設置がなかった場合に、記録媒体の媒体情報の読み込みにかかる時間を短縮することが可能な、新規かつ改良された記録媒体駆動装置及び記録媒体の媒体情報取得方法を提供することにある。
【課題を解決するための手段】
【００１４】
上記課題を解決するために、本発明のある観点によれば、記録媒体上のデータの再生又は記録媒体上にデータの記録を行う記録媒体駆動装置であって、記録媒体に関する媒体情報を記録する媒体情報記憶部と、電源オン時及び電源オフ時に、記録媒体の排出及び設置に応じて状態が切り替わり、電源オン時に記録媒体の排出及び設置を検出する検出部とを備え、媒体情報記憶部は、検出部で記録媒体の排出及び設置が検出されるまでは、既に記憶された最新の媒体情報を、設置されている記録媒体の媒体情報として記憶しておき、検出部で記録媒体の排出及び設置が検出されたとき、記録媒体の媒体情報を、新たに設置された記録媒体の媒体情報として新たに記憶することを特徴とする記録媒体駆動装置が提供される。
【００１５】
かかる構成により、媒体情報記憶部は、記録媒体に関する媒体情報を記憶し、検出部は、電源オン時及び電源オフ時に、記録媒体の排出及び設置に応じて状態が切り替わり、電源オン時に記録媒体の排出及び設置を検出する。そして、媒体情報記憶部は、検出部で記録媒体の排出及び設置が検出されるまでは、既に記憶された最新の媒体情報を、設置されている記録媒体の媒体情報として記憶しておき、検出部で記録媒体の排出及び設置が検出されたとき、記録媒体の媒体情報を、新たに設置された記録媒体の媒体情報として新たに記憶する。その結果、電源オフの状態で記録媒体の排出及び設置があった場合でも、電源オン時に、記録媒体の排出及び設置を検出することができる。記録媒体の排出及び設置がなかった場合には、予め記憶されている記録媒体の媒体情報を活用することができるので、記録媒体の媒体情報の読み込みにかかる時間を短縮することができる。
【００１６】
上記検出部は、記録媒体の排出又は設置による移動に伴って、第１の領域と第２の領域を交互に移動可能な移動部材と、移動部材の移動に伴って、導通状態が切り替わるスイッチとを備え、記録媒体が設置されているとき、移動部材は第１の領域にあり、記録媒体が排出されたとき、移動部材は、記録媒体の移動に伴って第２の領域に移動し、スイッチの導通状態によって、移動部材が第２の領域にあることが検知されたとき、記録媒体の排出及び設置を検出するものであってもよい。かかる構成により、移動部材が記録媒体の排出又は設置による移動に伴って、第１の領域と第２の領域を交互に移動し、スイッチが、移動部材の移動に伴って、導通状態が切り替わる。そして、スイッチの導通状態によって、移動部材が第２の領域にあることが検知されたとき、記録媒体の排出及び設置を検出することができる。
【００１７】
上記検出部が記録媒体の排出及び設置を検出した後、電源オン時に、移動部材を第１の領域に復帰させる復帰駆動部を更に備えるものであってもよい。かかる構成により、移動部材が第１の領域に復帰し、あらためて記録媒体の排出及び設置の検出を行うことができる。
【００１８】
また、上記課題を解決するために、本発明の別の観点によれば、記録媒体上のデータの再生又は記録媒体上にデータの記録を行う記録媒体駆動装置における記録媒体の媒体情報取得方法であって、電源オン時及び電源オフ時に、記録媒体の排出及び設置に応じて状態が切り替わる検出スイッチから、電源オン時に記録媒体の排出及び設置を検出する検出ステップと、検出ステップで記録媒体の排出及び設置が検出されるまでは、既に記憶された最新の媒体情報を、設置されている記録媒体の媒体情報として記憶する第１の記憶ステップと、電源オン時に、検出ステップで記録媒体の排出及び設置が検出されたとき、記録媒体の媒体情報を、新たに設置された記録媒体の媒体情報として新たに記憶する第２の記憶ステップとを含むことを特徴とする記録媒体の媒体情報取得方法が提供される。
【００１９】
かかる構成により、電源オフの状態で記録媒体の排出及び設置があった場合でも、電源オン時に、記録媒体の排出及び設置を検出することができる。記録媒体の排出及び設置がなかった場合には、予め記憶されている記録媒体の媒体情報を活用することができるので、記録媒体の媒体情報の読み込みにかかる時間を短縮することができる。
【発明の効果】
【００２０】
本発明によれば、電源オン又は電源オフに関わらず、記録媒体の排出及び設置を検出し、記録媒体の排出及び設置がなかった場合に、記録媒体の媒体情報の読み込みにかかる時間を短縮することができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
まず、本発明の一実施形態に係る光ディスクドライブ１００について説明する。光ディスクドライブ１００は、記録媒体としての光ディスクに記録されたデータを読取り、画像や音声データを再生する。光ディスクドライブ１００は、光ディスクに記録されたデータを読み取るだけの再生専用装置であってもよいし、再生装置に加えて、光ディスクにデータを記録する記録装置を更に備えた記録／再生装置であってもよい。なお、光ディスクは、例えば、コンパクトディスク（compact  disc）、ＤＶＤ（digital  versatile  disc）、ブルーレイディスク（Blu-ray  Disc）などの記録媒体である。光ディスクは、記録媒体の面上に、ピットが形成されることでデータが記録される。ピット（又はマーク）と、ピット以外のランド（又はスペース）とが繰り返し配列されることで、デジタルデータの情報が記録されている。
【００２３】
本発明の一実施形態に係る光ディスクドライブ１００は、例えば、図１に示すようなレコーダーに適用される。まず、図１を参照して、本実施形態に係るレコーダーについて説明する。図１は、本実施形態に係るレコーダーを示すブロック図である。
【００２４】
レコーダは、テレビ放送を受信して、受信した映像や音声などのデータを光ディスクに記録する。レコーダは、光ディスクドライブ１００と、チューナー部３０２と、復調部３０３と、インターフェース部３０４と、復号部３０５と、映像出力部３０６と、制御部３００と、操作部３０１とを備える。
【００２５】
チューナ部３０２は、テレビ放送の放送信号を受信する。復調部３０３は、チューナ部３０２で受信された放送信号を復調する。復調部３０３で得られた映像データは、インターフェース部３０４を介して、光ディスクドライブ１００に送られる。光ディスクドライブ１００は、入力された映像データを記録（録画）する。
【００２６】
このとき、インターフェース部３０４は、後述する図２に示すインターフェース部２１３と接続されている。操作部３０１は、ユーザによる操作を受け付ける。制御部３００は、ユーザによる操作が操作部３０１で行われると、制御部３００がレコーダを制御して、光ディスクドライブ１００から任意の映像データを読み出す。光ディスクドライブ１００から読み出された映像データは、インターフェース部３０４を介して読み出される。復号部３０５は、光ディスクドライブ１００から読み出された映像データを復号する。映像出力部３０６は、復号部３０５で復号された映像信号を外部機器に出力する。
【００２７】
制御部３００は、光ディスクドライブ１００を利用する前に、光ディスクドライブ１００に光ディスクが挿入されているか、どのような種類のディスクが挿入されているか、ディスクの読み書きに必要なパラメータは何かなどをロード処理によって検出する。光ディスクドライブ１００は、ロード処理の結果を用いて、映像データの読み書きを行う。なお、本発明の適用は、レコーダに限定されず、光ディスク再生記録装置などにも適用される。
【００２８】
次に、図２を参照して、本実施形態に係る光ディスクドライブ１００について説明する。図２は、本実施形態に係る光ディスクドライブを示すブロック図である。
【００２９】
操作部２１４は、光ディスクドライブ１００に直接設けられ、光ディスクドライブ１００の再生又は記録などの操作を受け付ける。インターフェース部２１３は、光ディスクドライブ１００が例えばパーソナルコンピュータやレコーダの外部機器２１６に接続されるとき、外部機器の信号を受信する。
【００３０】
操作部２１４で行われた操作による信号は、直接、制御部２１１に出力され、外部機器２１６で行われた操作は、インターフェース部２１３を介して間接的に制御部２１１に出力される。制御部２１１は、光ディスクドライブ１００の各構成要素を制御する。
【００３１】
例えば、光ディスクの読み書きの際には、制御部２１１は、変復調部２０７を制御する。変復調部２０７で変調された信号は、レーザ出力部２００からレーザとして出力され、光ディスクに照射される。また、光ディスクで反射した光は、光電変換部２０１で受光される。光電変換部２０１は、光による信号を電気信号に変換し、変換された電気信号を変復調部２０１に出力する。変復調部２０７は、受信した電気信号を復調してデータ信号とする。光ディスクから読み出され、変復調部２０７で復調されたデータは、バッファ２１０に蓄積され、インターフェース部２１３から読み出される。
【００３２】
また、制御部２１１は、サーボ制御部２０８を制御する。制御部２１１は、ピックアップ移動部２０２やディスク回転部２０３をサーボ制御部２０８によって制御する。ピックアップ移動部２０２は、サーボ制御部２０８からの信号によって、レーザ出力部２００を有するレーザ出力装置や、光電変換部２０１を有する光電変換装置などが設けられた光ピックアップ装置（図示せず。）を移動させる。ディスク回転部２０３は、サーボ制御部２０８からの信号によって、光ディスクを回転させる。
【００３３】
また、制御部２１１は、トレイ開閉検出部２０９を制御する。制御部２１１は、トレイ移動部２０４、ソレノイド２０５及び検出スイッチ２０６をトレイ開閉検出部２０９によって制御する。トレイ移動部２０４は、光ディスクを排出又は設置する際に、ディスクを載置するトレイ（図示せず。）を移動させる。ソレノイド２０５及び検出スイッチ２０６は、トレイ開閉状態の検出を行う。ここで、ソレノイド２０５は、復帰駆動部の一例であリ、検出スイッチ２０６は、スイッチの一例である。
【００３４】
トレイ開閉記憶部２１５は、トレイ１０２が開閉されたという情報、即ちトレイが開閉されたことによって光ディスクが交換された可能性があるという情報を記録する。例えば、トレイ開閉記憶部２１５には、トレイ１０２が閉状態であるときは、光ディスクの情報を新たに読み込む必要がないため、「ロード処理：不要」が記録されている。一方、トレイ１０２が一度開状態になると、光ディスクが交換された可能性があるため、新たに光ディスクの情報を読み込む必要があり、「ロード処理：要」という情報が記録される。このトレイ開閉情報は、例えば制御部２１１によって記録される。
【００３５】
ディスク情報記憶部２１２は、設置された光ディスクの種別やサーボの制御値、記録レーザの出力値などを記録する。ディスク情報記憶部２１２には、光ディスクドライブ１００に光ディスクが新たに設置されたとき、当該光ディスクに関する情報が記録され、少なくとも、トレイ開閉検出部２０９によって光ディスクの排出及び設置が新たに検出されるまで、その情報が保存される。
【００３６】
トレイは、光ディスクドライブ１００が通電しているときには、制御部２１１の制御によって開閉することが可能である。また、トレイは、光ディスクドライブ１００が通電していない非通電時や、制御部２１１やトレイ移動部２０４の機械系が故障しているときも機械的な機構によって開閉することができる。トレイの機械的機構は、例えば、トレイの外部からトレイ内部に設けれたボタンを、ピンによって押圧することで開閉したり、トレイ近傍に設けられた小さめのボタンを押圧することで開閉したりすることができる。
【００３７】
次に、図３〜図５を参照して、本実施形態に係るトレイ開閉検出装置の実施例について説明する。図３〜図５は、本実施形態に係るトレイ開閉検出装置を示す断面図である。図３は、トレイ１０２が光ディスクドライブ１００内部に収容されている閉状態を示す。図４は、トレイ１０２が光ディスクドライブ１００から排出されている開状態を示す。図５は、図４の開状態の後、再びトレイ１０２が閉状態となった場合を示す。
【００３８】
トレイ開閉検出装置は、上述したとおり、図２に示すようにトレイ移動部２０４と、ソレノイド２０５と、トレイ開閉検出部２０９を有する。図３〜図５に示すトレイ１０２は、光ディスクドライブ１００内部に設けられ、出入動作によって、光ディスクを設置又は排出することができる。図３〜図５に示す実施例では、ソレノイド２０５は、トレイ１０２近傍の光ディスクドライブ１００の本体部１１０に設けられる。
【００３９】
トレイ１０２の側面１０２Ａには、切り込み１０４が形成されている。切り込み１０４は、プッシュバー１１４の先端１１４Ａが当接する。切り込み１０４は、トレイ１０２の入出側の側面１０４Ａのほうが、トレイ１０２の奥側の側面１０４Ｂよりも深い形状となっている。
【００４０】
ソレノイド２０５は、コイル１１６内部に収容された可動鉄芯１１２（移動部材の一例である）と、可動鉄芯１１２の一端に設けられた、例えば棒形状のプッシュバー１１４とを有する。ソレノイド２０５は、動作ＯＮにすることによって通電し、通電によって発生した磁力で、可動鉄芯１１２がコイル１１６内部の所定位置に移動する。本実施形態のソレノイド２０５は、一般的に用いられるソレノイドを適用することができるため、詳細な説明は省略する。
【００４１】
検出スイッチ２０６は、可動鉄芯１１２が当接することによって押圧される。可動鉄芯１１２によって押圧されているとき、検出スイッチ２０６はＯＮになり、可動鉄芯１１２が離れているとき、検出スイッチ２０６はＯＦＦになる。光ディスクドライブ１００の通電時に、制御部２１１は、検出スイッチ２０６がＯＮ状態であるか又はＯＦＦ状態であるかを確認することかできる。
【００４２】
例えば、図３に示すように、トレイ１０２がクローズ（閉）状態にあるとき、プッシュバー１１４は、切り欠き１０４に収まることによって、ソレノイド２０５から突き出る位置（第１の領域）に存在する。このとき、可動鉄芯１１２は、検出スイッチ２０６から離れているため、検出スイッチ２０６はＯＦＦ状態である。
【００４３】
次に、図４に示すように、トレイ１０２がオープン（開）状態にあるとき、プッシュバー１１４は、トレイ１０２の切り欠き１０４が移動することによって、可動鉄芯１１２と共にソレノイド２０５内部（第２の領域）へと押圧される。このとき、可動鉄芯１１２は、検出スイッチ２０６を押圧するため、検出スイッチ２０６はＯＮ状態になる。
【００４４】
その後、図５に示すように、トレイ１０２が再びクローズ（閉）状態になっても、プッシュバー１１４は、ソレノイド２０５がＯＮ動作にならない限り、切り欠き１０４のほうへ移動せず、ソレノイド２０５内部に収容されたままである。そのため、可動鉄芯１１２は、検出スイッチ２０６を押圧しており、検出スイッチ２０６はＯＮ状態になっている。
【００４５】
次に、ソレノイド２０５に通電すること（ソレノイド２０５の動作をＯＮにすること）によって、プッシュバー１１４は、図５の二点鎖線で示すように、ソレノイド２０５から突き出る位置に移動し、切り欠き１０４に収まる。その結果、可動鉄芯１１２は、検出スイッチ２０６から離れて検出スイッチ２０６はＯＦＦ状態になる。
【００４６】
これらの一連の動作のよれば、光ディスクドライブ１００が通電状態であれば、検出スイッチ２０６がＯＮ又はＯＦＦであるかを常に確認することができるため、トレイ１０２の開閉状態を検出することが可能である。
【００４７】
また、光ディスクドライブ１００が通電状態にないときも、トレイ１０２が一度オープン状態になると、プッシュバー１１４がソレノイド２０５内部に収容されるため、検出スイッチ２０６がＯＮ状態になる。そして、再びトレイ１０２がクローズ状態になっても、ソレノイド２０５の動作をＯＮにするまでは、可動鉄芯１１２は切り欠き１０４のほうへ移動しないため、検出スイッチ２０６がＯＮ状態を維持している。そのため、光ディスクドライブ１００を非通電から通電状態にしたとき、検出スイッチ２０６のＯＮ又はＯＦＦを確認することによって、光ディスクドライブ１００が通電状態にないとき（非通電時）に、トレイ１０２の開閉があったことを確認することができる。
【００４８】
次に、図６を参照して、本実施形態に係る光ディスクドライブ１００のトレイ開閉検出処理について説明する。図６は、本実施形態に係る光ディスクドライブ１００のトレイ開閉検出処理を示すフローチャートである。
【００４９】
まず、検出スイッチ２０６がＯＮになっているか否かを検出する（ステップＳ４００）。検出スイッチ２０６がＯＮになっているときは、トレイが一度オープン状態になったため、新たに光ディスクの情報を読み込む必要があることを意味し、検出スイッチ２０６がＯＦＦになっているときは、トレイ１０２がクローズ状態のままであり、新たに光ディスクの情報を読み込む必要がないことを意味する。
【００５０】
従って、検出スイッチ２０６がＯＦＦである場合は、トレイ開閉記憶部２１５に「ロード処理：不要」を記録する（ステップＳ４０１）。検出スイッチ２０６がＯＦＦである場合は、通常、プッシュバー１１４はソレノイド２０５から突き出た位置にあるが、光ディスクドライブ１００が非通電であるときに、振動などによって可動鉄芯１１２の位置がずれる場合がある。そのため、プッシュバー１１４を切り欠き１０４に完全に突き出るように元の位置に戻す必要がある。従って、まず、ソレノイド２０５の動作をＯＮにする（ステップＳ４０２）。ソレノイド２０５がＯＮになると、プッシュバー１１４は、切り欠き１０４内部方向に移動する。そして、ソレノイド２０５の動作をＯＦＦにして（ステップＳ４０３）、終了する。
【００５１】
一方、検出スイッチ２０６がＯＮである場合は、トレイ１０２が一度オープンしたことを意味し、光ディスクが交換された可能性があるため、トレイ開閉記憶部２１５に「ロード処理：要」を記録する（ステップＳ４０４）。検出スイッチ２０６がＯＮである場合は、通常、プッシュバー１１４はソレノイド２０５内部に収容されている。そのため、プッシュバー１１４を切り欠き１０４内部に完全に突き出るように元の位置に戻す必要がある。従って、まず、ソレノイド２０５の動作をＯＮにする（ステップＳ４０５）。ソレノイド２０５がＯＮになると、プッシュバー１１４は、切り欠き１０４内部方向に移動する。そして、ソレノイド２０５の動作をＯＦＦにする（ステップＳ４０６）。
【００５２】
次に、プッシュバー１１４が切り欠き１０４内部に移動して、完全に切り欠き１０４内部に完全に突き出ているか否かを確認する。即ち、検出スイッチ２０６がＯＮであるかＯＦＦであるかを確認する（ステップＳ４０７）。検出スイッチ２０６がＯＦＦである場合には、トレイ１０２が閉まっていて、可動鉄芯１１２が検出スイッチ２０６から離れている状態であるため、プッシュバー１１４が切り欠き１０４に収容されている。このときは、トレイ開閉検出処理は、終了する。
【００５３】
一方、検出スイッチ２０６がＯＮである場合には、トレイ１０２が開いたままの状態であるか、又はトレイ１０２が障害物を挟んでいて完全に閉まりきらず半開きの状態である可能性があり、可動鉄芯１１２が検出スイッチ２０６と当接している。そのため、一度トレイをオープンにして（ステップＳ４０８）、終了する。
【００５４】
次に、図７を参照して、本実施形態に係る光ディスクドライブ１００のトレイ開閉処理について説明する。図７は、本実施形態に係る光ディスクドライブ１００のトレイ開閉処理を示すフローチャートである。
【００５５】
まず、光ディスクドライブ１００において、イジェクト（ＥＪＥＣＴ）操作が行われたかどうかを確認する（ステップＳ５００）。イジェクト操作があったときは、トレイ１０２を開く（ステップＳ５０１）。そして、再びステップＳ５００に戻る。
【００５６】
一方、イジェクト操作が行われなかったときは、クローズ操作が行われたかどうかを確認する（ステップＳ５０２）。クローズ操作が行われなかったときは、再びステップＳ５００に戻る。クローズ操作が行われたときは、トレイ１０２をクローズする（ステップＳ５０３）。そして、トレイ１０２が開いていた状態からクローズの状態に移行したため、トレイ開閉記憶部２１５に「ロード処理：要」を記録する（ステップＳ５０４）。
【００５７】
トレイ１０２が開いた状態にあったため、プッシュバー１１４はソレノイド２０５内部に収容されている。従って、プッシュバー１１４を切り欠き１０４内部へと突き出ている元の状態に戻す必要がある。即ち、ソレノイド２０５の動作をＯＮにして（ステップＳ５０５）、プッシュバー１１４を切り欠き１０４内部へと移動させる。そして、ソレノイド２０５をＯＦＦの状態にする（ステップＳ５０６）。
【００５８】
次に、プッシュバー１１４が切り欠き１０４内部に移動して、完全に切り欠き１０４内部に完全に突き出ているか否かを確認する。即ち、検出スイッチ２０６がＯＮであるか又はＯＦＦであるかを確認する（ステップＳ５０７）。検出スイッチ２０６がＯＦＦである場合には、トレイ１０２が閉まっていて、可動鉄芯１１２が検出スイッチ２０６から離れている状態であるため、プッシュバー１１４が切り欠き１０４に収容されている。このとき、トレイ１０２は、ステップＳ５０３の指示通り閉まっている状態であるため、再びステップＳ５００へ戻る。
【００５９】
一方、検出スイッチ２０６がＯＮである場合には、ステップＳ５０３の指示と異なり、トレイ１０２が開いたままの状態であるか、トレイが障害物を挟んでいて完全に閉まりきらず半開きの状態である可能性があり、そのため、可動鉄芯１１２が検出スイッチ２０６と接触している。従って、一度トレイ１０２をオープンして（ステップＳ５０８）、その後ステップＳ５００へ戻る。
【００６０】
次に、図８を参照して、本実施形態に係るレコーダのロード処理について説明する。図８は、本実施形態に係るレコーダのロード処理を示すフローチャートである。
【００６１】
まず、トレイ開閉記憶部２１５に「ロード処理：要」が記録されているか否かを確認する。「ロード処理：要」が記録されていない場合は、非通電時においてもトレイ１０２は一度もオープンせず、トレイ１０２がクローズの状態のままであったことを意味する。従って、光ディスクの交換はされなかったことになるため、ディスク情報記憶部２１２に予め記録されている、現在設置されている光ディスクに関する情報の読み出しを行う（ステップＳ６０６）。このときは、ロード処理のほとんどを省略できるため短時間に処理が終了する。
【００６２】
一方、トレイ開閉記憶部２１５に「ロード処理：要」が記録されている場合は、光ディスクの交換がされた可能性があるため、一連のロード処理を行う必要がある。即ち、設置された光ディスクがＣＤ、ＤＶＤ又はブルーレイディスクであるのか、サイズが８ｃｍ又は１２ｃｍであるのかなどの光ディスクの種別の判別処理を行う（ステップＳ６０１）。次に、的確な動作をさせるため、光ディスクの違いによって異なってくる動作条件を確認する。そのため、光ディスクドライブ１００で用いられている各種サーボの制御に用いられるパラメータの最適化処理を行う（ステップＳ６０２）。また、光ディスクに書込みを行う際のレーザ出力量の最適化処理を行う（ステップＳ６０３）。例えば、試し書きを行って、温度やディスク回転数等に応じたレーザ出力量の最適値を設定する。
【００６３】
以上の処理で得られた光ディスクの種別、サーボ制御の最適化処理のための値、レーザ記録における出力の最適化処理のための値などを、ディスク情報（媒体情報）としてディスク情報記憶部２１２に記録する（ステップＳ６０４）。そして、トレイ開閉記憶部２１５に記録されている「ロード処理：要」を取り消すため、トレイ開閉記憶部２１５に「ロード処理：不要」を記録して（ステップＳ６０５）、終了する。
【００６４】
上述のとおり、本発明の一実施形態によれば、光ディスクドライブ１００の通電の有無に関わらず、光ディスクの排出及び設置を検出することができる。そして、光ディスクの排出及び設置がなかった場合には、ディスク情報記憶部２１２に予め記録されているディスク情報を現在設置されている光ディスクのディスク情報として扱うことができる。従って、新たなロード処理が不要となり、光ディスクのディスク情報の読み込みにかかる時間を短縮することができる。
【００６５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６６】
例えば、上記実施形態のトレイ開閉検出部２０９は、非通電時であってもトレイ１０２の開閉が行われた場合に、ソレノイド２０５の可動鉄芯１１２やプッシュバー１１４の物理的な位置の変化によって、トレイ１０２の開閉の有無を記録し、更に、電源がＯＮになったとき、検出スイッチ２０６でトレイ１０２の開閉を検出し、その後、ソレノイド２０５の物理的な位置変化を元の状態に戻すことができるとしたが、本発明はかかる例に限定されない。例えば、トレイ開閉検出部は、カウンタなど、トレイの開閉動作に伴って、非通電時であってもトレイが開閉したという記録を残すことができる装置であるとしてもよい。
【００６７】
また、例えば、上記実施形態では、光ディスクドライブ１００が、インターフェース部２１３によって外部装置２１６と分離されているとしたが、本発明はかかる例に限定されない。例えば、光ディスクドライブ１００がノート型ＰＣやレコーダに内蔵されるため、光ディスクドライブ１００がインターフェース部２１３によって分離されない場合も含まれる。また、光ディスクドライブ１００の内部にディスク情報記憶部２１２やトレイ開閉記憶部２１５が設けられるとしたが、本発明はかかる例に限定されない。例えば、ディスク情報記憶部２１２やトレイ開閉記憶部２１５は、インターフェース部２１３の外、即ち、光ディスクドライブ１００の外部に設けられてもよい。
【００６８】
また、例えば、上記実施形態では、トレイ開閉記憶部２１５に「ロード処理：不要」という情報が記録されている場合、設置されている光ディスクについて全く確認処理を行わないとしたが、本発明はかかる例に限定されない。例えば、トレイ開閉記憶部２１５に「ロード処理：不要」という情報が記録されている場合に、簡単な確認処理を行うとしてもよい。「ロード処理：不要」という記録がされている場合は、本発明によれば、非常に高い確率でディスク交換がされていない。従って、確認処理は、トレイに設置されているディスクの重さのみを確認するなど短時間かつ簡潔な処理とすることができ、ロード処理に要する時間を短縮することができる。
【００６９】
また、例えば、上記実施形態では、ソレノイド２０５や検出スイッチ２０６が光ディスクドライブ１００の本体部１１０側に設置されるとしたが、本発明はかかる例に限定されず、ソレノイドや検出スイッチがトレイ側に設置されるとしてもよい。このとき、切り欠きはトレイ側ではなく、本体側の側面などに設けられる。
【００７０】
また、例えば、上記実施形態では、トレイ１０２の側面に切り欠き１０４が設けられるとしたが、本発明はかかる例に限定されない。例えば、トレイの底面に厚みのある当接部材を設け、当接部材に切り欠きを設け、この切り欠きにソレノイドのプッシュバーが出し入れされるとしてもよい。
【００７１】
また、例えば、上記実施形態では、プッシュバー１１４の移動方向とトレイ１０２の移動方向が水平面内で直交する場合について説明したが、本発明はかかる例に限定されない。例えば、プッシュバーがトレイの移動方向の水平面に対して垂直方向に移動するように、ソレノイドを設けてもよく、この場合、ソレノイドはトレイの出入り口付近に設置することができる。
【００７２】
また、例えば、上記実施形態では、トレイにディスクを載置して、ディスクを設置又は排出するトレイ方式の挿入形態について説明したが、本発明はかかる例に限定されない。例えば、ディスクを直接光ディスクドライブに挿入するスロットイン方式などでも適用することができる。
【００７３】
また、例えば、上記実施形態では、光ディスクの種別、サーボ制御の最適値、記録レーザ出力の最適値といった値をディスク情報の例として挙げたが、本発明はかかる例に限定されない。例えば、ディスクを識別するためのＩＤや、著作権管理のためのＩＤ、光ディスクに記録されたデータ内容など、光ディスクに関する情報全てが含まれる。従って、ロード処理に要する時間を短縮できるだけでなく、光ディスクに記録された映像の特定のチャプターの最初のデータをメモリに記録しておき、光ディスクが回転して読み出しが行えるようになるよりも先に、予め記録しておいたチャプターのデータの映像を出力することができるなど、光ディスクの読み出し処理などの処理時間を短縮化することもできる。
【００７４】
また、例えば、上記実施形態では、光ディスクを記録媒体とした光ディスクドライブの場合について説明したが、本発明はかかる例に限定されない。例えば、メモリースティック（登録商標）などのフラッシュメモリを記録媒体としたドライブについても適用することができる。メモリの読み書きを行う場合は、所望のファイルがメモリのどの位置に記録されているかなどのファイルシステムに関する情報を参照するため、読み出し命令がされてから実際に所望のファイルを読み出すまでに必要な処理がある。そして、フラッシュメモリが大容量化して蓄積ファイル数が増加すると、ファイルの管理テーブルも大きくなる。また、フラッシュメモリの読み出し速度は、ＳＤＲＡＭ等に比べて遅いため、読み書きを行うまでの時間が長い。従って、本発明によれば、読み書きを実際に行うまでに必要な記録媒体の情報を予めディスク情報記憶部に記録することができるので、記録媒体の交換がなかった場合には、速やかに読み書きを行うことができる。
【図面の簡単な説明】
【００７５】
【図１】本発明の一実施形態に係るレコーダーを示すブロック図である。
【図２】同実施形態に係る光ディスクドライブを示すブロック図である。
【図３】同実施形態に係るトレイ開閉検出装置を示す断面図である。
【図４】同実施形態に係るトレイ開閉検出装置を示す断面図である。
【図５】同実施形態に係るトレイ開閉検出装置を示す断面図である。
【図６】同実施形態に係る光ディスクドライブのトレイ開閉検出処理を示すフローチャートである。
【図７】同実施形態に係る光ディスクドライブのトレイ開閉処理を示すフローチャートである。
【図８】同実施形態に係るレコーダのロード処理を示すフローチャートである。
【符号の説明】
【００７６】
１００      光ディスクドライブ
１０２      トレイ
１０４      切り欠き
１１０      本体部
１１２      可動鉄芯
１１４      プッシュバー
１１６      コイル
２０５      ソレノイド
２０６      検出スイッチ
２０９      トレイ開閉検出部
２１２      ディスク情報記憶部
２１５      トレイ開閉記憶部
【図１】
2008282466.tif 000003
【図２】
2008282466.tif 000004
【図３】
2008282466.tif 000005
【図４】
2008282466.tif 000006
【図５】
2008282466.tif 000007
【図６】
2008282466.tif 000008
【図７】
2008282466.tif 000009
【図８】
2008282466.tif 000010